【手続補正書】
【提出日】平成24年11月12日(2012.11.12)
【手続補正１】
【補正対象書類名】特許請求の範囲
【補正対象項目名】全文
【補正方法】変更
【補正の内容】
【特許請求の範囲】
【請求項１】
第１の装置と第２の装置とからなるシステムであって、
前記第１の装置は、
コンテンツの映像を第１の表示手段に出力する第１の出力手段と、
前記第２の装置と通信する第１の通信手段とを有し、
前記第２の装置は、
前記第１の装置と通信する第２の通信手段と、
前記第２の通信手段により受信したコンテンツの映像を第２の表示手段に出力する第２の出力手段とを有し、
前記第１の出力手段が所定のコンテンツの映像を前記第１の表示手段に出力しているときに、前記所定のコンテンツの映像を前記第２の装置により映像を出力する場合、
前記第１の通信手段は、前記所定のコンテンツを前記第２の装置に送信し、
前記第２の通信手段は、前記第１の通信手段より送信された前記所定のコンテンツを受信し、
前記第２の出力手段は、前記第２の通信手段により受信した前記所定のコンテンツの前記第１の表示手段により表示される映像よりも時間的に遅れた映像を前記第２の表示装置に出力することを特徴とする映像表示システム。
【請求項２】
前記第１の出力手段が所定のコンテンツの映像を前記第１の表示手段に出力しているときに、前記所定のコンテンツの映像を前記第２の装置により映像を出力する場合、
前記第１の出力手段は、前記所定のコンテンツの映像の表示を制限することを特徴とする請求項１記載の映像表示システム。
【請求項３】
前記第１の出力手段が所定のコンテンツの映像を前記第１の表示手段に出力しているときに、前記所定のコンテンツの映像を前記第２の装置により映像を出力する場合、
前記第１の出力手段は、前記第１の通信手段により前記所定のコンテンツが前記第２の装置に送信された後に前記所定のコンテンツの映像の表示を制限することを特徴とする請求項２記載の映像表示システム。
【請求項４】
前記第１の出力手段が所定のコンテンツの映像を前記第１の表示手段に出力しているときに、前記所定のコンテンツの映像を前記第２の装置により映像を出力する場合、
前記第２の出力手段は、前記第２の通信手段により受信した前記所定のコンテンツの前記第１の出力手段により表示の制限をされた映像よりも時間的に前の映像を前記第２の表示装置に出力することを特徴とする請求項２または３のいずれか１項に記載の映像表示システム。
【請求項５】
前記第１の出力手段が所定のコンテンツの映像を前記第１の表示手段に出力しているときに、前記所定のコンテンツの映像を前記第２の装置により映像を出力する場合、
前記第１の通信手段は、前記所定のコンテンツを前記第２の装置に送信した後に、前記所定のコンテンツの提示を開始する指示を前記第２の装置に送信することを特徴とする請求項１から４のいずれか１項に記載の映像表示システム。
【請求項６】
前記第１の出力手段が所定のコンテンツの映像を前記第１の表示手段に出力しているときに、前記所定のコンテンツの映像を前記第２の装置により映像を出力する場合、
前記第２の出力手段は、前記所定のコンテンツの提示を開始する指示を前記第２の通信手段を介して受信するまでは、前記所定のコンテンツの映像の表示を制限することを特徴とする請求項５記載の映像表示システム。
【請求項７】
前記第１の装置は、外部からコンテンツを受信する受信手段を有することを特徴とする請求項１から６のいずれか１項に記載の映像表示システム。
【請求項８】
前記第１の装置は、
前記外部から受信したコンテンツを記憶する記憶手段を有し、
前記第１の出力手段が所定のコンテンツの映像を前記第１の表示手段に出力しているときに、前記所定のコンテンツの映像を前記第２の装置により映像を出力する場合、
前記第１の通信手段は、前記記憶手段に記憶された前記所定のコンテンツを前記第２の装置に送信することを特徴とする請求項７記載の映像表示システム。
【請求項９】
前記第２の装置は、効果音を出力する効果音出力手段を有することを特徴とする請求項１から８のいずれか１項に記載の映像表示システム。
【請求項１０】
前記第１の出力手段が所定のコンテンツの映像を前記第１の表示手段に出力しているときに、前記所定のコンテンツの映像を前記第２の装置により映像を出力する場合、
前記第１の出力手段は、前記第１の通信手段により前記所定のコンテンツが前記第２の装置に送信される前に前記所定のコンテンツの映像の表示を制限することを特徴とする請求項２記載の映像表示システム。
【請求項１１】
第１の装置と第２の装置とからなるシステムであって、
前記第１の装置は、
動画データの映像を第１の表示手段に出力する第１の出力手段と、
前記第２の装置と通信する第１の通信手段とを有し、
前記第２の装置は、
前記第１の装置と通信する第２の通信手段と、
前記第２の通信手段により受信した動画データの映像を第２の表示手段に出力する第２の出力手段とを有し、
前記第１の出力手段が所定の動画データの映像を前記第１の表示手段に出力しているときに、前記所定の動画データの映像を前記第２の装置により映像を出力するための指示が入力されたことに応じて、
前記第１の通信手段は、前記指示が入力されたときに前記第１の表示手段に表示しているシーンよりも時間的に前のシーンの映像に対応する動画データを前記第２の装置に送信することを特徴とする映像表示システム。
【請求項１２】
前記第１の装置は、記録媒体から動画データを再生する再生手段を有することを特徴とする請求項１１記載の映像表示システム。
【請求項１３】
前記第１の出力手段が所定の動画データの映像を前記第１の表示手段に出力しているときに、前記所定の動画データの映像を前記第２の装置により映像を出力するための指示が入力されたことに応じて、
前記再生手段は、前記指示が入力されたときに前記第１の表示手段に表示している映像よりも時間的に前のシーンの映像に対応する動画データを再生することを特徴とする請求項１２記載の映像表示システム。
【請求項１４】
前記第１の出力手段が所定の動画データの映像を前記第１の表示手段に出力しているときに、前記所定の動画データの映像を前記第２の装置により映像を出力するための指示が入力されたことに応じて、
前記第２の出力手段は、前記第２の通信手段により受信した前記動画データの映像の表示を所定時間制限することを特徴とする請求項１１から１３のいずれか１項に記載の映像表示システム。
【請求項１５】
前記動画データの映像は、少なくともフレーム間予測符号化を含む方式で符号化された映像データの映像であることを特徴とする請求項１１から１４のいずれか１項に記載の映像表示システム。
【請求項１６】
前記所定の動画データの映像を前記第２の装置により映像を出力するための指示は、前記第２の装置から送信されることを特徴とする請求項１１から１５のいずれか１項に記載の映像表示システム。
【請求項１７】
前記第１の通信手段または、前記第２の通信手段は、無線方式で通信することを特徴とする請求項１から１６のいずれか１項に記載の映像表示システム。
【請求項１８】
前記映像の表示を制限することとは、前記映像の輝度または透過率を制限することであることを特徴とする請求項３または４または１４に記載の映像表示システム。
【請求項１９】
コンテンツの映像を第１の表示手段に出力する出力手段と、
外部の映像出力装置と通信する通信手段とを有し、
前記出力手段が所定のコンテンツの映像を前記第１の表示手段に出力しているときに、前記所定のコンテンツの映像を前記外部の映像出力装置に接続された第２の表示手段に表示させる場合、
前記通信手段は、前記第１の表示手段により表示される映像よりも時間的に遅れた映像を前記第２の表示手段に表示するように前記所定のコンテンツのデータを前記外部の映像出力装置に送信することを特徴とする映像出力装置。
【請求項２０】
コンテンツの映像を第１の表示手段に出力する出力手段と、
外部の映像出力装置と通信する通信手段とを有し、
前記出力手段が所定の動画データの映像を前記第１の表示手段に出力しているときに、前記所定の動画データの映像を前記外部の映像出力装置に接続された第２の表示手段に表示させる指示が入力されたことに応じて、
前記第通信手段は、前記指示が入力されたときに前記第１の表示手段に表示しているシーンよりも時間的に前のシーンの映像に対応する動画データを前記外部の映像出力装置に接続された第２の装置に送信することを特徴とする映像表示装置。
【手続補正２】
【補正対象書類名】明細書
【補正対象項目名】発明の名称
【補正方法】変更
【補正の内容】
【発明の名称】映像表示システム及び映像表示装置
【手続補正３】
【補正対象書類名】明細書
【補正対象項目名】０００１
【補正方法】変更
【補正の内容】
【０００１】
本発明は、映像、音声、データ放送、アプリケーションなどのコンテンツを提示する映像表示システム及び映像表示装置に関するものである。ここでアプリケーションは、マイクロプロセッサにより実行されることで映像や音声を生成することができるコンピュータプログラムを含む。
【手続補正４】
【補正対象書類名】明細書
【補正対象項目名】０００９
【補正方法】変更
【補正の内容】
【０００９】
上記課題を解決するために、本発明に係る映像表示システムは、第１の装置と第２の装置とからなるシステムであって、前記第１の装置は、コンテンツの映像を第１の表示手段に出力する第１の出力手段と、前記第２の装置と通信する第１の通信手段とを有し、前記第２の装置は、前記第１の装置と通信する第２の通信手段と、前記第２の通信手段により受信したコンテンツの映像を第２の表示手段に出力する第２の出力手段とを有し、前記第１の出力手段が所定のコンテンツの映像を前記第１の表示手段に出力しているときに、前記所定のコンテンツの映像を前記第２の装置により映像を出力する場合、前記第１の通信手段は、前記所定のコンテンツを前記第２の装置に送信し、"前記第２の通信手段は、前記第１の通信手段より送信された前記所定のコンテンツを受信し、前記第２の出力手段は、前記第２の通信手段により受信した前記所定のコンテンツの前記第１の表示手段により表示される映像よりも時間的に遅れた映像を前記第２の表示装置に出力する。